(57)【要約】      （修正有）【課題】エリア品質を、測定機を持って現地において実測することなく、高い精度で収集する。【解決手段】エリア品質収集システムは無線端末２０からエリア品質を取得する。無線端末２０は基地局２と無線通信可能である。エリア品質収集システムは、無線端末２０の位置情報を検出し、エリア品質の測定精度が端末精度閾値を超える無線端末２０を参照無線端末に指定し、参照無線端末は発呼要求を発信するときにエリア品質を測定する。位置検出部は無線端末２０に設けられる。【選択図】図１
2013098932.tif 000002
【特許請求の範囲】
【請求項１】
基地局と無線通信可能で且つ前記基地局のエリア品質を測定可能な無線端末から前記エリア品質を取得するエリア品質取得システムであって、前記無線端末は発呼要求を発信するときに前記エリア品質を測定することを特徴とするエリア品質取得システム。
【請求項２】
請求項１に記載のエリア品質取得システムであって、
前記無線端末の位置を位置情報として検出する位置検出部と、前記エリア品質の測定精度が端末精度閾値を超える前記無線端末を参照端末に指定する参照端末設定部と、前記参照端末に前記位置情報を発信させる情報発信要求を発信する制御部とを備え、
前記位置検出部は前記無線端末に設けられる
ことを特徴とするエリア品質取得システム。
【請求項３】
請求項２に記載のエリア品質取得システムであって、前記情報発信要求は前記参照端末にエリア品質を発信させることを特徴とするエリア品質取得システム。
【請求項４】
請求項１〜請求項３のいずれか１項に記載のエリア品質取得システムであって、前記基地局と前記無線端末との無線通信の負荷および前記基地局の負荷の少なくとも一方を含む通信負荷に応じて、前記端末精度閾値を、下限値を超える範囲で変動させる閾値設定部とを備えることを特徴とするエリア品質取得システム。
【請求項５】
請求項１〜請求項４のいずれか１項に記載のエリア品質取得システムであって、少なくとも前記参照端末設定部および前記制御部を有し、前記品質発信要求を受信した前記参照端末から発信される前記エリア品質を閲覧可能である保守装置を備えることを特徴とするエリア品質取得システム。
【請求項６】
請求項１〜請求項５のいずれか1項に記載のエリア品質取得システムであって、前記通信負荷には複数の前記基地局を通信可能に接続する通信ネットワークの負荷が含まれることを特徴とするエリア品質取得システム。
【発明の詳細な説明】
【技術分野】
【０００１】
本発明は、無線通信に用いられる基地局のエリア品質情報を取得するエリア品質取得システムに関するものである。
【背景技術】
【０００２】
無線通信システムでは、基地局が送信する電波で形成される無線範囲において電波状態が不良である領域では、高速通信や高品質の通信が出来ないことや通信の切断が生じ得る。それゆえ、任意の地域において所望の通信性能を満足するように、基地局の設置位置が定められ、設置される。
【０００３】
しかし、地勢の変化や周囲の建物等の環境が変化し得るので、設置後も定期的に基地局毎の無線範囲内の様々な位置において電界強度や搬送波対干渉波比などのエリア品質を収集する必要がある。
【０００４】
従来は、エリア品質の測定機およびＧＰＳ等の測位機を搭載した車両によって、無線範囲内の様々な位置においてエリア品質が実測され、収集されていた。また、無線範囲内の任意の無線端末を利用して、エリア品質情報を収集することも提案されている（特許文献１〜３参照）。
【先行技術文献】
【特許文献】
【０００５】
【特許文献１】特開２００２−１５２１０４号公報
【特許文献２】特開２０００−３４１２０４号公報
【特許文献３】特開２００８−２２０６５号公報
【発明の概要】
【発明が解決しようとする課題】
【０００６】
しかし、車両を用いてエリア品質を収集する場合には、車両や収集のための作業員が必要であり、設備・機材費および人件費などの費用と工数が発生していた。また、このような測定では、建物内部のように車両が進入できない位置においてエリア品質を収集することが出来なかった。
【０００７】
また、特許文献１〜３の提案では、無線端末の周囲情況に関わりなくエリア品質の測定が行われるため、必ずしも理想的な情況でエリア品質を測定することが出来ず、エリア品質情報の正確性は不十分となり得た。
【０００８】
したがって、かかる事情に鑑みてなされた本発明の目的は、正確性の高いエリア品質情報を、測定機を持って現地において実測することなく収集するエリア品質取得システムを提供することにある。
【課題を解決するための手段】
【０００９】
上述した諸課題を解決すべく、本発明によるエリア品質取得システムは、
基地局と無線通信可能で且つ基地局のエリア品質を測定可能な無線端末からエリア品質を取得するエリア品質取得システムであって、無線端末は発呼要求を発信するときにエリア品質を測定する
ことを特徴とするものである。
【発明の効果】
【００１０】
上記のように構成された本発明に係るエリア品質取得システムによれば、端末精度閾値を超えるエリア品質の測定精度を有する無線端末を用いてエリア品質を収集するので、測定機を有する車両などを用いることなく高精度のエリア品質を収集することが可能になる。
【図面の簡単な説明】
【００１１】
【図１】本発明の一実施形態に係るエリア品質収集システムを有する無線通信システムのシステム構成図である。
【図２】無線通信システムにおける発呼から測定精度情報の収集までの動作のシーケンス図である。
【図３】無線通信システムにおける発呼からエリア品質情報の収集までの動作のシーケンス図である。
【図４】図１の無線端末の内部構成を概略的に示すブロック図である。
【図５】図１の保守装置の内部構成を概略的に示すブロック図である。
【図６】保守装置において実行されるエリア品質収集処理を示すフローチャートである。
【図７】変形例における発呼からエリア品質情報の収集までの動作のシーケンス図である。
【発明を実施するための形態】
【００１２】
以下、本発明を適用したエリア品質収集システムの実施形態について、図面を参照して説明する。
【００１３】
図１は、本発明の一実施の形態に係るエリア品質収集システムを有する無線通信システムのシステム構成図である。無線通信システム１は、複数の基地局２、基地局制御装置３、通信ネットワーク４、保守装置１０、およびサーバ５などによって構成される。
【００１４】
基地局２は無線範囲ｗｃａ内に在圏する無線端末２０と無線通信可能である。なお、基地局２の無線範囲ｗｃａは、前述のように地勢の変化や周囲の環境の変化に応じて変化する。
【００１５】
基地局２は基地局制御装置３を介して通信ネットワーク４に接続される。無線端末２０は、基地局２、基地局制御装置３、通信ネットワーク４、基地局制御装置３、および基地局２を介して他の無線端末２０と通話および通信が可能である。
【００１６】
保守装置１０は通信ネットワーク４に接続され、通信ネットワーク４を介して基地局制御装置３から様々なデータを収集し、サーバ５に格納可能である。保守装置１０は収集されたデータを表示するモニタ（図示せず）や印刷するプリンタ（図示せず）を有し、システム管理者は保守装置において収集されたデータを閲覧可能である。また、システム管理者は、保守装置１０を用いて無線通信システム１の様々な保守作業が可能である。
【００１７】
例えば、保守装置１０では基地局２毎のエリア品質情報を収集可能である。本実施形態では、エリア品質情報を収集するために、無線端末２０の初回発呼時に当該無線端末２０の測定精度情報が収集される。なお、無線端末２０の測定精度情報とは、後述するように無線端末２０のエリア品質の測定精度であって、測定精度が高くなるほど数値が大きくなるパラメータとなるように定められている。
【００１８】
図２を用いて、無線端末２０の発呼から保守装置１０における測定精度情報の収集までの動作を説明する。図２は、発呼から測定精度情報の収集までの動作のシーケンス図である。なお、図２のシーケンス図には図示されていないが、基地局２と保守装置１０とのデータ通信は基地局制御装置３および通信ネットワーク４を介して実行される。
【００１９】
無線端末２０が発呼要求を発信（符号“ｓ１”参照）すると、基地局２は通常の接続処理を実行する（符号“ｐ１”参照）。すなわち、相手側の無線端末２０と接続するための動作を実行する。また、接続処理時に、発呼要求を発信した無線端末２０との上り通信における無線信号の強度をエリア品質として検出する。
【００２０】
無線端末２０は、接続処理において基地局２との下り通信における無線信号の強度を含むエリア品質を検出する（符号“ｐ２”参照）。なお、下り通信におけるエリア品質としては、無線信号の強度以外にも、例えば搬送波対干渉波比や、フレームエラーレートなどが検出され、無線端末２０に記録される。
【００２１】
発呼要求を受信した基地局２は、接続処理とは別に、発呼要求を発信した無線端末のＩＤおよび通信負荷情報を保守装置１０に送信する（符号“ｓ２”参照）。なお、通信負荷情報とは、基地局２における無線リソースの使用状況、通信ネットワーク４の負荷状況、および基地局２の制御用ＣＰＵ（図示せず）の使用率などの無線通信システム１における通信時の負荷である。
【００２２】
保守装置１０は、まず受信した端末ＩＤがサーバ５に登録されているか否かを判別する（符号“ｐ３”参照）。端末ＩＤが登録されていない場合には、保守装置１０は測定精度情報を発信させる測定精度要求を、基地局２を介して無線端末２０に送信する（符号“ｓ３”参照）。なお、端末ＩＤが既に登録されている場合には、後述するように、通信負荷に基づいたエリア品質収集を開始する（図２において図示せず）。
【００２３】
発信要求を受信した無線端末２０は、測定精度情報を基地局２を介して保守装置１０に送信する（符号“ｓ４”参照）。保守装置１０は、測定精度情報を受信するとサーバ５に格納し、端末ＩＤを登録する（符号“ｐ４”参照）。したがって、製造された無線端末２０の初回発呼時に、無線端末２０の測定精度情報がサーバに格納される。
【００２４】
なお、接続処理時に無線端末２０が検出したエリア品質は、端末ＩＤの登録時には収集されない。それゆえ、破棄されてもよいし、次回の発呼要求時に新たに検出されるエリア品質によって更新されてもよい。
【００２５】
次に、図３を用いて、無線端末２０の発呼から保守装置１０におけるエリア品質情報の収集までの動作を説明する。図３は、発呼からエリア品質情報の収集までの動作のシーケンス図である。なお、図３のシーケンス図にも図示されていないが、基地局２と保守装置１０とのデータ通信は基地局制御装置３および通信ネットワーク４を介して実行される。
【００２６】
無線端末２０から基地局２への発呼要求の送信（図３における符号“ｓ１”参照）から基地局２から保守装置１０への端末ＩＤおよび通信負荷情報の送信（図３における符号“ｓ２”参照）までの無線端末２０および基地局２の動作は、測定精度情報収集の場合と同じである。
【００２７】
測定精度情報収集の場合と同様に、保守装置１０は、まず受信した端末ＩＤがサーバ５に登録されているか否かを判別する（図３における符号“ｐ１”参照）。端末ＩＤが登録されている場合には、通信負荷に基づいて、測定精度の良否を判別するための端末精度閾値を算出する（図３における符号“ｐ２”参照）。保守装置１０は、端末ＩＤに対応する測定精度情報を読出し、測定精度と端末精度閾値との比較に基づいて、当該無線端末２０を、エリア品質情報を発信させる参照端末に設定するか否かを決定する（図３における符合“ｐ３”参照）。
【００２８】
測定精度が端末精度閾値を超える場合には、当該無線端末２０を参照端末に設定する。一方、測定精度が端末精度閾値以下である場合には、当該無線端末２０を参照端末に設定しない。当該無線端末２０を参照端末に設定した場合には、エリア品質要求が基地局２を介して無線端末２０に送信される（図３における符号“ｓ３”参照）。
【００２９】
無線端末２０はエリア品質要求を受信すると、後述するようにＧＰＳの受信信号に基づいて経度・緯度情報を含む位置情報を生成し、エリア品質情報とともに、基地局２を介して保守装置１０に送信する（符号“ｓ４”参照）。なお、基地局２は、位置情報とエリア品質情報の転送時に、基地局２で検出した上り通信におけるエリア品質情報を付加して保守装置１０に送信する。保守装置１０は、位置情報と関連付けてエリア品質情報をサーバ４に格納する（符号“ｐ４”参照）。
【００３０】
次に、図４を用いて、無線端末２０の構成を機能とともに説明する。無線端末２０には、無線通信部２１、エリア品質検出部２２、ＲＡＭ２３、位置情報算出部２４、入力部２５、制御部２６、およびＲＯＭ２７などが設けられる。無線通信部２１、エリア品質検出部２２、ＲＡＭ２３、位置情報算出部２４、入力部２５、制御部２６、およびＲＯＭ２７はバス２８を介して接続される。
【００３１】
無線通信部２１は発信するデータを変調し、変調されたデータは端末アンテナ２９から発信される。また端末アンテナ２９が受信した信号は、無線通信部２１により復調される。
【００３２】
エリア品質検出部２２は、無線端末２０の現在位置における基地局２のエリア品質を検出する。検出されたエリア品質情報はＲＡＭ２３に格納される。位置情報算出部２４はＧＰＳアンテナ（図示せず）を有し、ＧＰＳアンテナにおいて受信する無線のＧＰＳ信号に基づいて無線端末２０の位置情報を算出する。
【００３３】
入力部２５はボタン（図示せず）やマイク（図示せず）などによって構成される。ボタンへの操作入力に応じて、制御部２６は無線端末２６の各部位を制御する。例えば、通話ボタン（図示せず）の押下を検出すると、制御部２６は無線通信部２１に発呼要求を発信させる。
【００３４】
制御部２６は入力部２５への操作入力だけでなく、基地局２から受信する様々な要求にも応じて無線端末２０の各部位を制御する。例えば、前述のように、基地局２による接続処理の実行中にエリア品質検出部２２にエリア品質の検出を実行させる（図２における符合“ｐ２”参照）。
【００３５】
また前述のように、基地局２から測定精度要求を受信すると、制御部２６は、ＲＯＭ２７に格納された測定精度情報を、基地局２を介して保守装置１０に送信させる。なお、前述のように、測定精度情報は無線端末２０全体としてのエリア品質の測定および出力精度であって、ＲＳＳＩなどのエリア品質検出部２２における検出精度および無線通信部２１の出力精度などのパラメータに基づいて予め算出され、製造時にＲＯＭ２７に記録される。
【００３６】
また前述のように、基地局２からエリア品質要求を受信すると、制御部２６は、位置情報算出部２４に緯度・経度情報を算出させ、ＲＡＭ２３に格納されたエリア品質情報とともに、基地局２を介して保守装置１０に送信させる。
【００３７】
なお、制御部２６は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００３８】
ＲＯＭ２７には前述の測定精度情報のみならず、無線端末２０の各部位の制御や動作のために必要なデータが格納され、必要に応じて読出される。
【００３９】
次に、保守装置１０の構成を機能とともに説明する。図５に示すように、保守装置１０には、ネットワーク通信部１１、閾値設定部１２、参照端末設定部１３、制御部１４、サーバＩ／Ｆ１５などが設けられる。ネットワーク通信部１１、閾値設定部１２、参照端末設定部１３、制御部１４、サーバＩ／Ｆ１５は、バス１６に接続される。
【００４０】
ネットワーク通信部１１は通信ネットワーク４と有線接続される。ネットワーク通信部１１は変復調機能を有しており、保守装置１０と通信ネットワーク４間で様々な種類のデータ通信が可能である。また、サーバＩ／Ｆ１５はサーバ４と有線接続され、保守装置１０とサーバ５間とでデータ通信が可能である。
【００４１】
制御部１４は、保守装置１０に設けられる入力部（図示せず）への操作入力や通信ネットワーク４から受信する要求などに基づいて、保守装置１０の各部位を制御する。
【００４２】
例えば、前述のように、無線端末２０のＩＤを受信すると、受信したＩＤがサーバ４に登録されているかどうかを判別する（図２における“ｐ３”参照）。サーバ５に登録されていない場合には、測定精度要求を無線端末２０に発信させる（図２における“ｓ３”参照）。
【００４３】
一方、サーバ５に登録されている場合には、制御部１４は閾値設定部１２に通信負荷を送信する。閾値設定部１２は、入力された通信負荷に基づいて、通信負荷を発信した基地局２に対する端末精度閾値を算出する（図３における“ｐ２”参照）。
【００４４】
なお、通信の負荷が高いほど端末精度閾値が高くなるように、通信負荷情報に含まれるパラメータを用いて端末精度閾値を算出する算出式が定められている。端末精度閾値は当該算出式に基づいて算出される。また、端末精度閾値には下限値が定められており、算出値が下限値を下回る場合には、算出値を用いずに下限値が端末精度閾値に定められる。
【００４５】
端末精度閾値を算出すると、制御部１４は、発呼要求を発信した無線端末がエリア品質情報を発信させるべき参照端末であるか否かを参照端末設定部１３に判別させる。
【００４６】
参照端末設定部１３は、受信したＩＤに基づいてサーバ５から無線端末２０の測定精度を読出す。参照端末設定部１３は、読出した測定精度を閾値設定部により算出された端末精度閾値と比較する。
【００４７】
前述のように、測定精度が端末精度閾値を超える場合には、参照端末設定部１３は無線端末２０を参照端末に設定する。一方、測定精度が端末精度閾値以下である場合には、参照端末設定部１３は無線端末２０を参照端末に設定しない。無線端末２０が参照端末に設定されると、制御部１４はエリア品質要求を無線端末２０に送信する。
【００４８】
また、前述のように、保守装置１０が測定精度を受信すると、制御部１４は無線端末のＩＤと関連付けて受信した測定精度をサーバ５に格納する。
【００４９】
また、前述のように、保守装置１０がエリア品質情報と位置情報を受信すると、制御部１４は測定対象の基地局２におけるエリア品質情報を位置情報と関連付けてサーバ５に格納する。
【００５０】
なお、制御部１４は、上述の動作以外の保守装置１０の各部位の動作を制御する。なお、制御部１４は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００５１】
続いて、保守装置１０において実行されるエリア品質収集処理について、図６のフローチャートを用いて説明する。エリア品質収集処理は、保守装置１０が端末ＩＤおよび通信負荷を受信するときに開始する。
【００５２】
ステップＳ１０１において、制御部１４は受信した端末ＩＤがサーバ５に登録されたＩＤとして格納されているか否かを判別する。登録されていない場合には、ステップＳ１０２に進む。登録されている場合には、ステップＳ１０５に進む。
【００５３】
ステップＳ１０２では、制御部１４は無線端末２０に向けた測定精度要求を発信させる。測定精度要求の発信後ステップＳ１０３では、測定精度を受信するまでステップＳ１０３を繰返し、待機する。測定精度を受信するとステップＳ１０４に進み、制御部１４は測定精度を、ステップＳ１０１において受信した端末ＩＤと関連付けてサーバ５に格納する。測定精度の格納後にエリア品質収集処理を終了する。
【００５４】
ステップＳ１０１において端末ＩＤが登録されている場合には、前述のように、ステップＳ１０５に進む。ステップＳ１０５では、閾値設定部１２は受信した通信負荷に基づいて端末精度閾値を算出する。端末精度閾値の算出後、ステップＳ１０６に進む。
【００５５】
ステップＳ１０６では、参照端末設定部１３は受信した端末ＩＤに対応する測定精度をサーバ５から読出し、ステップＳ１０５において算出された端末精度閾値と比較する。測定精度が端末精度閾値を超える場合には、ステップＳ１０７に進む。一方、測定精度が端末精度閾値以下である場合には、エリア品質収集処理を終了する。
【００５６】
ステップＳ１０７では、参照端末設定部１３は端末ＩＤを発信した無線端末２０を参照端末に設定し、制御部１４に通知する。制御部１４への通知後のステップＳ１０８では、制御部１４は無線端末２０に向けたエリア品質要求を発信させる。
【００５７】
エリア品質要求の発信後ステップＳ１０９では、エリア品質情報を受信するまでステップＳ１０９を繰返し、待機する。エリア品質情報を受信するとステップＳ１１０に進み、制御部１４はエリア品質情報を位置情報に関連付けてサーバ５に格納する。
【００５８】
以上のような構成の本実施形態のエリア品質取得システムによれば、無線端末２０の発呼要求時にエリア品質の検出を行うので、エリア品質を理想的な状態で測定することが可能である。従来の無線端末２０を用いてエリア品質を測定させる方法では、無線端末２０が鞄の中などのように使用が想定されていない情況においてエリア品質が測定され得る。このような情況では、無線端末２０そのものの測定精度が高くても、不正確なエリア品質が検出され得る。一方、本実施形態のように発呼時には無線端末２０使用され得る情況であり、より正確性の高いエリア品質を検出可能である。
【００５９】
また、本実施形態のエリア品質収集システムによれば、所定の下限値以上に定められる端末精度閾値を超える測定精度を有する無線端末２０のみから位置情報およびエリア品質情報が収集されるので、高精度のエリア品質情報を収集することが可能である。また、収集されるエリア品質の測定精度のブレを縮小化させることが可能である。
【００６０】
また、本実施形態のエリア品質取得システムによれば、通信負荷が高くなるほど端末精度閾値が高くなるように設定される。測定精度が高くなるほど無線端末２０の標本数が減少することが一般的であり、端末精度閾値が高くなるほど参照端末に設定される無線端末２０の数は減少し、測定精度が高められる。
【００６１】
それゆえ、通信負荷が高くなるほど、収集するエリア品質情報は測定精度の高いものに絞られ、無線リソース、通信ネットワーク、および基地局２に余計な負荷をかけることが防止される。また、逆に通信負荷が低くなるほど一定以上の測定精度のエリア品質情報が多量に収集されるので、通信負荷の低いときに余裕のある無線リソースなどを有効に活用することが可能である。
【００６２】
また、本実施形態のエリア品質取得システムによれば、エリア品質を測定するための車両や設備が不要であり、また測定員も不要であるため、エリア品質収集のための設備費や人件費を低減化させることが可能である。また、無線端末２０からエリア品質情報を収集するので、車両が入れない建物内などにおけるエリア品質情報を収集することも可能である。
【００６３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００６４】
例えば、上記実施形態では、参照端末に設定された無線端末２０にエリア品質要求が送信され、無線端末２０がエリア品質要求を受信するときに、エリア品質情報および位置情報を保守装置２０に送信する構成であるが、エリア品質情報は端末ＩＤおよび通信付加の送信時に送信される構成であってもよい。
【００６５】
例えば、図７に示すように、端末ＩＤなどとともに、基地局２から保守装置１０にエリア品質情報が送信される（図７におけるｓ１参照）。したがって、発呼要求を発信した全無線端末２０のエリア品質情報は一旦保守装置１０に送信され、サーバ５に格納される。
【００６６】
保守装置１０では、本実施形態と同様に参照端末であるかどうかを判別する（図７におけるｐ１参照）。参照端末でない場合には、当該無線端末２０のエリア品質情報はサーバ５から削除される。一方、参照端末と判別された場合には、当該無線端末２０に位置情報を発信させる位置情報要求が、基地局２を介して、無線端末２０に送信される（図７におけるｓ２参照）。無線端末２０は位置情報要求を受信するときに、ＲＡＭ２３に格納した位置情報を基地局２を介して保守装置１０に送信する（図７におけるｓ３参照）。
【００６７】
また、上記実施形態では、通信負荷情報に、通信ネットワーク４の負荷情況も含まれるが、無線リソースの使用状況および制御用ＣＰＵの使用率の少なくとも一方が通信負荷情報に含まれればよい。無線リソースおよび基地局２のＣＰＵは、エリア品質情報などの通信に必ず用いられるので、無線リソースの使用状況および制御用ＣＰＵの使用率のいずれか少なくとも一方に応じて端末精度閾値を変動させれば、本実施形態と同様の効果を得ることが可能である。
【符号の説明】
【００６８】
１  無線通信システム
２  基地局
４  通信ネットワーク
１０  保守装置
１２  閾値設定部
１３  参照端末設定部
１４  制御部
２０  無線端末
２２  エリア品質検出部
２４  位置情報算出部
２６  制御部
【図１】
2013098932.tif 000003
【図２】
2013098932.tif 000004
【図３】
2013098932.tif 000005
【図４】
2013098932.tif 000006
【図５】
2013098932.tif 000007
【図６】
2013098932.tif 000008
【図７】
2013098932.tif 000009